(57)【要約】カラーモニターを校正出来る測色計が光検出器（３８）と光学的フイルター対（５０）との測光的配列により提供される。該フイルターは、可視スペクトラムの上端での重畳する領域をカバーするロングパス、エッジフイルター（ｌｏｎｇ−ｐａｓｓ， ｅｄｇｅ ｆｉｌｔｅｒ）と、可視スペクトラム全体をカバーするフイルターと、を含む。該光検出器の出力は、国際照明委員会｛シーアイイー（ＣＩＥ）｝ｘｙｚ｛バー（ｂａｒ）｝関数により確立された応答を大体完全に模擬する応答を提供するようデジタル的に合成される。模擬された応答はシーアイイー（ＣＩＥ）等色関数により表されてもよい。該対と付随部品とはクラムシェル（ｃｌａｍｓｈｅｌｌ）ハウジング内に取り込まれたプリント回路基板（３２）上に設置され、そして光を放つ表面の角度的に制限された視野を規定するアパーチャの配列を有する。
2004527729.tif 000002
【特許請求の範囲】
【請求項１】
カラー測定デバイスに於いて、
ハウジングと、
検出された光に応答してデータを発生するための複数の光検出器と、そして
並列の該複数の光検出器からのデータを読み出すためのフイールドプログラマブルゲートアレイとを具備することを特徴とする該カラー測定デバイス。
【請求項２】
更に、
該検出された光に応答して各光検出器により発生された該データを通信するために各々が該複数の光検出器の１つに接続された複数の信号出力チャンネルを具備しており、そして
該フイールドプログラマブルゲートアレイは並列の該複数の信号出力チャンネルの各々からのデータを受信するよう構成されていることを特徴とする請求項１の該カラー測定デバイス。
【請求項３】
更に、各々が該複数の光検出器の１つと対にされている複数の光学的フイルターを具備しており、該フイルター／光検出器対の各々は可視スペクトラムのより長い波長端部で種々の重畳する波長領域上に延びるレスポンシビテイを有することを特徴とする請求項１の該カラー測定デバイス。
【請求項４】
更に、前記対の該レスポンシビテイを、前記対が測色されるべき光に露光された時３刺激値が提供されう得る等色関数を模擬するレスポンシビテイに、変換するトランスレータを具備することを特徴とする請求項３の該カラー測定デバイス。
【請求項５】
前記フイルター／光検出器対が複数のロングパスの波長の電気光学的フイルターを提供することを特徴とする請求項３の該カラー測定デバイス。
【請求項６】
前記フイルター／光検出器対が配列で配置されていることを特徴とする請求項３の該カラー測定デバイス。
【請求項７】
前記フイルター／光検出器対の１つが可視スペクトラム全体上に延びるレスポンシビテイを有することを特徴とする請求項３の該カラー測定デバイス。
【請求項８】
カラー温度を測定するための測色計に於いて、
カラー温度が前記測色計により測定されるべきスペクトラムのより長い波長端部で種々の重畳する波長領域上に延びるレスポンシビテイを各々が有する、複数のフイルター／光検出器対と、
並列の該複数のフイルター／光検出器対の各々からのレスポンシビテイをアキュムレートするようプログラムされたフイールドプログラマブルゲートアレイと、そして
該レスポンシビテイを、前記カラー温度を表す値がそこから提供され得る等色関数を模擬するレスポンシビテイに、変換するトランスレータとを具備することを特徴とする該測色計。
【請求項９】
前記スペクトラムが放射源からであることを特徴とする請求項８の該測色計。
【請求項１０】
前記放射源が光源、ビデオデイスプレー、放射体そして黒体の１つを含むことを特徴とする請求項９の該測色計。
【請求項１１】
該フイールドプログラマブルゲートアレイが、
並列の該複数のフイルター／光検出器対の各々からの該レスポンシビテイを受信するための手段と、
予め決められた時間の期間に亘る該レスポンシビテイをアキュムレートするための手段と、そして
該アキュムレートされたレスポンシビテイを出力するための手段とを備えることを特徴とする請求項８の該測色計。
【請求項１２】
対象のカラーを測定する過程に於いて、
複数のフイルターで該対象からの光をフイルターする過程と、
該フイルターされた光を検出しそして該検出されフイルターされた光を表す複数の光信号を発生する過程と、
該複数の光信号を並列に読み出す過程と、そして
該複数の読み出された光信号に基づき該対象の該カラーを表す出力信号を発生する過程とを具備することを特徴とする対象のカラーを測定する過程。
【請求項１３】
該読み出す過程が選択された時間の期間の間該複数の光信号をアキュムレートする過程を備えることを特徴とする請求項１２の該測定する過程。
【請求項１４】
該複数のフイルターが、可視スペクトラムに亘り不均一に分布されたそして各々が該可視スペクトラムのより長い波長で重畳した光透過応答を有することを特徴とする請求項１２の該測定する過程。
【発明の詳細な説明】
【０００１】
背景
本発明は光のカラーコンテント（ｃｏｌｏｒ ｃｏｎｔｅｎｔ）を測定し、シーアイイー等色関数（ＣＩＥ ｃｏｌｏｒ ｍａｔｃｈｉｎｇ ｆｕｎｃｔｉｏｎｓ）により表現されてもよい様な、人間の眼のカラーへの応答（ｒｅｓｐｏｎｓｅ）を模擬（ｍｉｍｉｃｋｉｎｇ）した応答を有する測色計（ｃｏｌｏｒｉｍｅｔｅｒｓ）に関する。本発明は特に、ＣＲＴ（ｃａｔｈｏｄ ｒａｙ ｔｕｂｅ）型又は液晶（ＬＣＤ）型の何れかの、カラーモニター（ｃｏｌｏｒ ｍｏｎｉｔｏｒｓ）及びカラービデオデイスプレー（ｃｏｌｏｒ ｖｉｄｅｏ ｄｉｓｐｌａｙｓ）を校正（ｃａｌｉｂｒａｔｉｎｇ）するために好適である。本発明は又一般的に、他の（発光性又は反射性の）照明源の、そのカラー温度（ｃｏｌｏｒ ｔｅｍｐｅｒａｔｕｒｅ）の様な、カラー特性を測定するために応用可能である。
【０００２】
人間の眼のカラーへの応答を精確に模擬する測色応答（ｃｏｌｏｒｉｍｅｔｒｉｃ ｒｅｓｐｏｎｓｅ）は、可視スペクトルの上端を通しそして重畳関係にある複数のエッジフイルター（ｅｄｇｅ ｆｉｌｔｅｒｓ）が、この様なフイルターが光検出器（ｐｈｏｔｏｄｅｔｅｃｔｏｒｓ）と一対化された時、該エッジフイルターでモデル化され得ることが本発明に依り発見された。該応答は該光検出器の出力からデジタル的に合成出来る。該測色計で行える測定は、当該技術で公知の技術を用いて、カラーモニター又はデイスプレーを校正するために使用されてもよい。機械的及び電気的設計は本発明の測色計を現代の測色計と比肩出来るコストで容易に製造出来て、またこの様な現代の測色計の使用と両立する仕方で使用可能にしている。
【０００３】
非技術系ユーザーによる及び実験的環境外での使用に好適で、精確な測色法は現代の測色計では提供されなかった。｛１９９１年、エリスホーウッドリミッテド社（Ｅｌｌｉｓ Ｈｏｒｗｏｏｄ Ｌｉｍｉｔｅｄ）により発行された｝アールダブリュージーハント（Ｒ．Ｗ．Ｇ Ｈｕｎｔ）による第２次編集のテキスト、カラー測定（Ｍｅａｓｕｒｉｎｇ Ｃｏｌｏｕｒ）、で論じられている様に、フイルターされた光電池（ｐｈｏｔｏ ｃｅｌｌ）を使用した現代の測色計（ｃｏｎｔｅｍｐｏｒａｒｙ ｃｏｌｏｒｉｍｅｔｅｒｓ）は、”フイルターされない光電池のスペクトラム感度と組み合わされた時、ｘ（λ）、ｙ（λ）及びｚ（λ）関数と完全な等色（ｐｅｒｆｅｃｔ ｍａｔｃｈ）に帰着するフイルターを見出すことは通常不可能である”点で精確な測色を提供しなかった。又該ハントのテキストで論じられる様に、可視スペクトラム上の狭い区間を用いてさえもそして誤差を最小化するために最適重み付けを使用しても、精確な測色は達成されなかった（該ハントのテキスト１７８−１８１ページ参照）。ハントにより論じられたこの様な測色計は１９９３年１２月２１日に発行された米国特許第５、２７２、５１８号でビンセント（Ｖｉｎｃｅｎｔ）により、１９７９年４月２４日発行の米国特許第４、１５０、８９８号でスガ（Ｓｕｇａ）により、そして１９９２年１２月１日に発行された米国特許第５、１６８、３２０号でルッツ他（Ｌｕｔｚ， ｅｔ ａｌ．）により表明されている。
【０００４】
本発明は精確な測色を得るために人間の眼の応答を模擬する応答を提供するためにエッジフイルターのみならずデジタルの処理及び強調も利用する改良されたフイルター測色計を提供する。
【０００５】
又本発明により提供される測色計はアパーチャの使用により測色の精度を改良するが、該アパーチャは測定される光をバッフル（ｂａｆｆｌｅ）しそして液晶デイスプレーに共通するカラーの、高角度放射を入らせない（ｌｉｍｉｔ ｏｆｆ ｃｏｌｏｒ， ｈｉｇｈ ａｎｇｌｅ ｅｍｉｓｓｉｏｎｓ）。
【０００６】
本発明により提供される該測色計の機械的及び電気光学的構造はそれが現代の測色計と両立する仕方で使用されるのみならずこの様な測色計と対抗して値付けされるのに充分な低コストで製造することを可能にする。
【０００７】
発明の概要
本発明に依れば、カラー測定デバイスが提供される。該デバイスは光信号を測定するための複数の光検出器を有する。該光検出器と結合されたフイールドプログラマブルゲートアレイ（ｆｉｅｌｄ ｐｒｏｇｒａｍｍａｂｌｅ ｇａｔｅ ａｒｒａｙ）は並列の該光検出器からのデータを読み出す（ｒｅａｄｓ）。
【０００８】
本発明のより限定された側面に依れば、該カラー測定デバイスは、好ましくは配列内にある複数の光学的なフイルター／光検出器対（ｆｉｌｔｅｒ／ｐｈｏｔｏｄｅｔｅｃｔｏｒ ｐａｉｒｓ）を有するが、該配列内では各対は限定される視野（ｆｉｅｌｄ ｏｆ ｖｉｅｗ）に亘る光を受ける。一般に該視野は、該放射面からのカラーの歪んだ（ｃｏｌｏｒ−ｄｉｓｔｏｒｔｅｄ）、より高角度の光線又は放射が、該光検出器に到達するのを防止するために、角度的に制限される。該対は、可視スペクトラムの長波長端で種々の重畳する波長領域上に延びるレスポンシビテイ（ｒｅｓｐｏｎｓｉｖｉｔｙ）を有する。エッジフイルターが光検出器と共に使用されてもよく、好ましくはこのレスポンシビテイを得るためにデジタル出力を提供するのがよい。光検出器出力をデジタルに処理するトランスレータ（ｔｒａｎｓｌａｔｏｒ）が該対のレスポンシビテイを、人間の眼のレスポンシビテイを表現する等色関数を模擬するレスポンシビテイに変換する。これらは、該関数の従来の処理によりそれから該シーアイイー３刺激値（ＣＩＥ ｔｒｉ−ｓｔｉｍｕｌｕｓ ｖａｌｕｅｓ）、Ｘ、Ｙ、そしてＺが得られる、国際照明委員会（ＣＩＥ Ｃｏｍｍｉｓｉｏｎ Ｉｎｔｅｒｎａｔｉｏｎａｌｅ ｄｅ ｌ’Ｅｃｌａｉｒａｇｅ）のｘ、ｙ、そしてｚ関数であってもよく｛例えば、上記引用のビンセント（Ｖｉｎｃｅｎｔ）特許及び１９９６年３月１２日発行のマクローリン（ＭａｃＬａｕｇｈｌｉｎ）の、米国特許第５、４９９、０４０号参照｝、それによりカラーモニター及びカラービデオそして他のデイスプレーを校正するために該測色計の使用を容易化する。
【０００９】
本発明の上記及び他の特徴と利点は付属する図面と関連して下記説明を読むとより明らかになる。
【００１０】
詳細な説明
図１，２，３，４そして５を参照すると、本発明を具体化する測色計が示されており、該測色計はさねはぎ結合１６で接合された前部シェル（ｆｒｏｎｔ ｓｈｅｌｌ）１２と後部シェル（ｒｅａｒ ｓｈｅｌｌ）１４から成るハウジング１０のユニット型組立体である。一般的に長方形で凹部のある壁１８はアパーチャ２０のマトリックスを有し、該アパーチャは壁１８の直角なエッジに平行するＸ、Ｙ座標に沿って等間隔で相互に等しく隔てられいる。図解された実施例では、該アパーチャの形は長方形で、それらの縦軸線は、該Ｘ、Ｙ座標に対し、すなわち、該壁１８のエッジに対し約４５°である。該縦軸線は、該測色計がカラーモニタースクリーンの測色測定を行う使用時は、水平から約４５°に配置される。これは限られた視野を伴っても充分な光（光子）に該アパーチャを通過させる。視野のこの様な限定は下記で図６と７に関連して論じられる。一般に該アパーチャ２０の各々の視野は異なる光検出器３８とフイルター５０の間のクロストーク（ｃｒｏｓｓ−ｔａｌｋ）を防止するよう設計される（下記でより詳細に論じられる）。該制限された視野は、特に液晶スクリーンで起こる垂直方向で、角度に伴うカラー変化の効果（ｅｆｆｅｃｔ ｏｆ ｃｏｌｏｒ ｃｈａｎｇｅｓ ｗｉｔｈ ａｎｇｌｅ）を防止する。上記で論じた向き（ｏｒｉｅｎｔａｔｉｏｎ）での平行な側と円形の端部を有する長方形アパーチャは視野を好適に限定することが見出された。
【００１１】
該前部シェル１２はシェル１２の４つの隅部の各々で内側に突出する特徴部２２を有する。これらの特徴部は軟質で、ゴムの吸引カップ２６内の保持用溝を取り込む円形舌部２４を有する。該吸引カップは、そこから光が該アパーチャ２０経由で該測色計に入るカラーモニター又はデイスプレーのスクリーンに対し軽い圧力を提供する。
【００１２】
チューブ状ポスト２８は該シェル１６と同じプラスチッック材料でモールドされ、該壁１８に概ね直角に延びる軸線を有し、該アパーチャ２０を通る光軸に平行である。これらのポストは、その端部で該ポスト２８の内側に嵌合する補間的ポスト３０を受ける。プリント回路基板３２により提供されるプレートは円形孔３４を有し、該シェルが一緒に組み立てられた時、該孔を通して該ポスト２８は該シェル１２と１４の間に入り、基板３２を取り込む。該ポスト３０内の盲目孔（Ｂｌｉｎｄ ｈｏｌｅｓ）３４はねじを切られており、該ポスト２８内の孔を通って入るねじ（図示せず）は、組み立てられた該測色計部品を保持するために該ねじ孔３４内で受けられる。透明なフイルム又はシート３６が該壁１８の前側上に配置され、該アパーチャ２０を閉じる。該さねはぎ結合１６と該シート３６はかくして、該測色計による測定用に該シート３６とアパーチャ２０を通過する光を除いて、遮光された（ｌｉｇｈｔ−ｔｉｇｈｔ）閉じたボデイを提供する。
【００１３】
該プリント回路基板は数と位置関係でアパーチャ２０の配列と整合する光検出器３８の配列を有する。リブ４０のマトリックスが該シェル１４の後壁から延びており、その幾つか４２はこれらのリブ４２を該プリント回路基板３２の後ろ側と接触させるのに充分に距離だけ延びている。これらのリブ４２は概ね長方形の室（ｃｏｍｐａｒｔｍｅｎｔｓ）を形成するがそれは該光検出器３８を囲みそれら間の光の洩れを防止し、それにより該アパーチャ２０を通過するそして該光検出器３８に到達する光の間のクロストークを更に除いている。又該リブ４０は該シェル１４を強化するため役立つ。
【００１４】
該光検出器３８は光ダイオードと電流周波数変換器（ｃｕｒｒｅｎｔ−ｔｏ−ｆｒｅｑｕｅｎｃｙ ｃｏｎｖｅｒｔｅｒ）とを１つのチップ上で組み合わせる光周波数変換器（ｌｉｇｈｔ−ｔｏ−ｆｒｅｑｕｅｎｃｙ ｃｏｎｖｅｒｔｅｒｓ）であるのが好ましい。この様なデバイスはテーエスエル２３５（ＴＳＬ ２３５）の様な部品番号で、テキサス州、ダラスのテキサスインスツルメント社（Ｔｅｘａｓ Ｉｎｓｔｒｕｍｅｎｔｓ ｏｆ Ｄａｌｌａｓ， Ｔｅｘａｓ）から入手可能である。それらはその繰り返し速度（ｒｅｐｅｔｉｔｉｏｎ ｒａｔｅ）又は周波数が光レベル（ｌｉｇｈｔ ｌｅｖｅｌ）に比例するデジタル出力｛パルス列（ｐｕｌｓｅ ｔｒａｉｎｓ）｝を提供する。
【００１５】
図２のみならず図４でも観察される様に、該プリント回路基板３２は該アパーチャ２０と同じ空間的関係にあり、該アパーチャ２０の中心を通る光軸に沿って配置された開口部４４の配列を有する。該基板３２は該基板３２の該アパーチャ２０に面する側上に設置されたプリント配線と、抵抗器及び集積回路｛アイシー（ＩＣ）｝チップ４８の様な電気部品と、を有する。該光検出器３８は該基板の反対側上に設置される。光学的フイルターパック５０が該基板３２の該アパーチャ付き壁１８に面する側上に設置される。該フイルターパックは図８と９で図解される薄板にされ、層化された構造（ｌａｍｉｎａｔｅｄ， ｌａｙｅｒｅｄ ｓｔｒｕｃｔｕｒｅ）である。ＡからＧまでフイルター材料の７枚のシートがある。これらはゼラチン（ｇｅｌａｔｉｎ）から成り、各々は異なるロングパス又はエッジタイプの光学的フイルターを提供する。この様なゼラチンフイルターは、大抵の現代の測色計で使用される薄膜フイルターよりコストが遙かに安い。透過性のカラー化されたインク（ｔｒａｎｓｍｉｓｓｉｖｅ ｃｏｌｏｒｅｄ ｉｎｋｓ）を使うフイルターも使用されてもよい。該フイルターは該アパーチャ１８と該孔４４と同様な位置的関係に開口部を有する層化された構造に保持されるので、該フイルター５０が該基板３２上に設置された時該フイルター素子ＡからＧは該孔の異なる１つと整合される。該素子ＡからＧで薄板化された層内の孔の１つはマスクされない範囲Ｍ上に置かれる。これは概略該フイルター配列の中部のアパーチャ２０内の範囲と孔４４である。層の１つＨでは、ノッチ５２は該基板３２上にフイルターパック５０を置くことと整合させることを容易化するエッジを提供する。
【００１６】
該パックを構成する層はポリカーボネートシート（ｐｏｌｙｃａｒｂｏｎａｔｅ ｓｈｅｅｔ）の様な材料の不透明層（例えば黒である）Ｈであり、それは該パックの外側にある。これらの層の１つは下方に面し、もう１つは該後ろの外側上で接着剤層Ｌによりカバーされている。該接着剤は圧力感応性の接着剤であってもよく、それ自身は該基板３２上でフイルターパック５０の組立を容易にするためにリリース材料（ｒｅｌｅａｓｅ ｍａｔｅｒｉａｌ）でカバーされていてもよい。もう１つの接着剤層がありそれは前部不透明層Ｈで組み立てられたフイルター素子ＡからＧを保持する。透明層Ｋと、該透明層Ｋの後ろそして該後部不透明層Ｈの前の追加的接着剤層Ｌと、がある。適当な整合用ツールを用い、該フイルターパック５０を提供するために該層は重ねられ一緒に加圧される。該フイルターパックは、信頼性を有しそして精確な間隔と公差とを有して、量的に再生される。
【００１７】
図６と７とを参照すると、該光検出器はそれの光ダイオードの前に、該フイルターパック５０内のフイルター素子を経由して集められる（すなわち通過させる）光の量を高めるレンズ素子５６を有する。該基板３２と壁１８との形状と空間的関係とのために、該測色計が、光が放射するモニター又は他の源のスクリーン上に保持され、該アパーチャが水平に対し約４５°のそれらの縦軸を有した時、該アパーチャ２０は該垂直に沿って３０°（プラス又はマイナス１５°）の、そして該水平に沿って４４°（プラス又はマイナス２２°）の弧に対している。垂直に隔てられた領域からの光は従って、該アパーチャの種々のものを通過する光間のみならず、該光検出器３８への垂直な間隔のために修正されたカラーの光の通過するそれら間のクロストークも防止するよう、図６の曲線５８により示される様にマスクされる。これは、液晶デイスプレーの様に、カラー変化を示すタイプのスクリーンが測定及び／又は校正される時有利である。
【００１８】
該測色システムは図１０で示される。この図は又該測色計がシーアイイーＸＹＺカラーシステムに従って精確なカラー及びガンマ（ｇａｍｍａ）を提供するようにモニターを校正するために如何に使用されるかを示す。該測色計システムは、もし望まれるなら、シーアイイーエルエイビー（ＣＩＥ Ｌ＊ａ＊ｂ＊）及びシーアイイーラブ（ＣＩＥ Ｌａｂ）カラーシステムの様な他のカラーシステムを利用するよう適合されてもよい。該テストされるモニターはＣＲＴモニター又は液晶モニター又はデイスプレーであってもよい。ＣＲＴモニターが使用される場合は、多数、いわば４０回以上のリフレッシュサイクル（ｒｅｆｒｅｓｈ ｃｙｃｌｅｓ）、又は画像フレームに亘る測定を行うことが望ましい。その目的で、該リフレッシュレート（ｒｅｆｒｅｓｈ ｒａｔｅ）は該システムのマイクロプロセサー６０で検出されるが、それは図１１のフローチャートで示す様にプログラムされてもよい。該アパーチャ２０を担う壁１８の面先に等しいモニタースクリーンの面積又はパッチ（ｐａｔｃｈ）｛例えば２．５ｃｍ（１インチ）平方｝が該モニターからの光に露光される。該光は該光検出器３８内へと該パック５０のエッジフイルターを通過する。該光検出器は該光強さ（ｌｉｇｈｔ ｉｎｔｅｎｓｉｔｙ）に依るレートのパルス列（ｐｕｌｓｅ ｔｒａｉｎ）の形でデジタル出力を提供する。ＣＲＴモニターの場合該リフレッシュレートに関係付けられた時間の区間に亘るパルスを集める又はカウントることにより各エッジフイルターを通過する光のみならずフイルターされない光をも表すデジタル出力が得られる。該光検出器３８は、マイクロプロセサー６０からのチャンネルセレクター出力により提供されると同様な区間に亘るパルス列をシーケンシャルに供給するマルチプレクサー６２により多重化されたそれらの出力を有する。第８検出器３８からのフイルターされない光はリフレッシュレートのみならず有効なエッジフイルター出力も検出するために使用される出力を供給するが、それはシーアイイーカラーシステムすなわち等色関数を模擬する応答を合成することに使用される。該マイクロプロセサーは、ユーエスビー｛ユニバーサルシリアルバス（Ｕｎｉｖｅｒｓａｌ Ｓｅｒｉａｌ Ｂｕｓ）｝の様な通信リンク又は他の通信リンク、例えばアールエス２３２バスにより、ホストコンピユータそして特にそのＣＰＵ６４に接続される。該ＣＰＵ６４は該カラー測定値を検索するために該マイクロプロセサー６０と通信してもよい。
【００１９】
該モニターの校正に於いて、該ＣＰＵは最初に全赤スクリーン（ａｌｌ−ｒｅｄ ｓｃｒｅｅｎ）をフラッシュしそして該マイクロプロセサーにスペクトラムのデータを抽出することを教えてもよい。該ＣＰＵは次いで全体に緑の、次いで青のスクリーンのみならず完全な暗色（ｃｏｍｐｌｅｔｅ ｄａｒｋ）｛赤、緑そして青を最大に制御（ｒｅｄ， ｇｒｅｅｎ ａｎｄ ｂｌｕｅ ｃｏｎｔｒｏｌ ａｔ ｍａｘｉｍｕｍ）｝から変化する、多数レベルのグレイスクリーン（ｇｒｅｙ ｓｃｒｅｅｎ）をも提示してもよい。
【００２０】
図１１を参照すると、該リフレッシュレートは第８検出器出力から得られる。該検出器出力の周波数又はパルス繰り返しレート（ｐｕｌｓｅ ｒｅｐｅｔｉｔｉｏｎ ｒａｔｅ ）が測定される。該レートが最大に到達すると（該レートの最初のデイップが起こると）、カウンターＡがスタートさせられる。該周波数は周波数又はレートの最小を示すカウントレートでの立ち上がりがあるまで測定され続ける。次いで該カウンターは停止する。該リフレッシュレートは該スクリーンからの高及び低輝度（ｈｉｇｈ ａｎｄ ｌｏｗ ｌｕｍｉｎｏｓｉｔｙ）で検出される。このリフレッシュレートは該マルチプレクサーのサンプリング窓を制御するのみならず該測色過程中の該検出器の各々からのカウントを集めるためにも使用されてよい。
【００２１】
図１２はｚ等色関数を模擬するために該マイクロプロセサー６０が如何にプログラムされるかを示す。他の等色関数が同様なプログラムにより得られてもよい。該プログラムはｘ、ｙそしてｚ関数用に異なる係数を使用する。該計算は、他のフイルター検出器対がスペクトラムの上端で連続的により短い波長領域を通す間に、本質的に全可視スペクトラムを通すフイルター検出器対Ｆ／ＤＯを含む各フイルター検出器対用に下記で表明される方程式を実行する。該領域は、第７バンド（チャンネルＣＨＮ−７）の上部エッジフイルター検出器対により通されるスペクトラムの部分が重畳される点で重畳されている一方、第１バンド（チャンネルＣＨＮ−１）のみは、該Ｆ／ＤＯフイルター検出器対からの出力であるフイルターされないバンド又はチャンネル（ＣＨＮ−０）により重畳される。一般に係数の表は下表の様に表明される。それは該マイクロプロセサー６０に記憶された２次元配列の数である。これらの数は下記で与えられる方程式で表明されるアルゴリズム内の係数として使用される。
【００２２】
２次元配列の数は該マイクロプロセサー内に記憶される。これらの数は該アルゴリズム内の係数、Ｃａｎ＊として使用される。それらは下記である。
【００２３】
【表１】
2004527729.tif 000003
【００２４】
アルゴリズム
Ｘ（λ）＝ＦＤ０＊ＣＸ０＋ＦＤ１＊ＣＸ１＋ＦＤ２＊ＣＸ２．．．．＋ＦＤ７＊ＣＹ７
Ｙ（λ）＝ＦＤ０＊ＣＹ０＋ＦＤ１＊ＣＹ１＋ＦＤ２＊ＣＹ２．．．．＋ＦＤ７＊ＣＹ７
Ｚ（λ）＝ＦＤ０＊ＣＺ０＋ＦＤ１＊ＣＺ１＋ＦＤ２＊ＣＺ２＋ＦＤ７＊ＣＺ７
該係数は該等色関数への最小２乗平均法あてはめ（ｌｅａｓｔ ｍｅａｎ ｓｑｕａｒｅ ｆｉｔ）により導かれる。使用される方法論は物理学会雑誌Ｅ部門：科学的計測器（Ｊｏｕｒｎａｌ ｏｆ Ｐｈｙｓｉｃｓ Ｅ： Ｓｃｉｅｎｔｉｆｉｃ Ｉｎｓｔｒｕｍｅｎｔｓ）、１９７５年、８巻、４１−４４頁に見られる、”フイルター測色計の使用に於ける改良（Ｉｍｐｒｏｖｅｍｅｎｔｓ ｉｎ ｔｈｅ Ｕｓｅ ｏｆ Ｆｉｌｔｅｒ Ｃｏｌｏｒｉｍｅｔｅｒｓ）”の名称のデーオーウオームビー（Ｄ． Ｏ． Ｗｈａｒｍｂｙ）による論文で説明されている。該ウオームビー論文では、唯６つのバンドパスフイルターを使用して該関数を模擬する企てが行われた。本発明に依ると、ロングパス（ｌｏｎｇ ｐａｓｓ）又はエッジフイルターが使用されるが、それは精密に模擬された応答を作るのみならずバンドパスフイルターより寧ろ低コストのエッジフイルターを使用して、それぞれスペクトラムの赤、緑そして青の部分を通させる。該ロングパスフイルターの使用はシーアイイーｘｙｚ（バー）｛ＣＩＥ ｘ ｙ ｚ （ｂａｒ）｝曲線の個別の傾斜に整合するために個別フイルターを選択する自由度を許容する。対照的に、バンドパスフイルターのセットは同じ関数の種々の傾斜に整合しようと努めるために１つの傾斜に対し妥協することを強いる。
【００２５】
下表は図１４で示すレスポンシビテイを有するフイルター検出器対に好適と見出された係数を示す。
【００２６】
係数の例
ＣＸ０＝−０．０００９７       ＣＹ０＝−０．０００４９         ＣＺ０＝−０．０１０９
ＣＸ１＝０．００９６１        ＣＹ１＝０．０００１９          ＣＺ１＝０．０７０３８
ＣＸ２＝０．０３５０７        ＣＹ２＝０．００３６           ＣＺ２＝０．１５５８６
ＣＸ３＝−０．０４４         ＣＹ３＝０．００２１４          ＣＺ３＝−０．１５７５４
ＣＸ４＝−０．０１１７３       ＣＹ４＝０．０７１９５          ＣＺ４＝−０．０７１７４
ＣＸ５＝０．１３６４１        ＣＹ５＝−０．０５８４６         ＣＺ５＝０．０３５９３
ＣＸ６＝−０．０６３１９       ＣＹ６＝−０．０１１４３         ＣＺ６＝−０．０１６５８
ＣＸ７＝−０．０５３７２       ＣＹ７＝−０．０１３４          ＣＺ７＝０．０００９
該エッジフイルターの応答は、該フイルターされないバンドと、該フイルターパック５０内の種々のフイルターを通過するバンドと、について図１３で示される。特にバンド４及び５についてのスカート（立ち上がりエッジ）の傾斜は、該等色関数を精確に模擬するために該係数の導出を容易化するよう選択された。該等色関数は図１５で示され、該合成された等色関数の精度（すなわち、それらが理想的等色関数に如何に比肩されるか）は図１５で示される。
【００２７】
図１４は該フイルター検出器対のレスポンシビテイ（ｒｅｓｐｏｎｓｉｖｉｔｙ）を図解する。該検出器はそれ自身のレスポンシビテイを該フイルターを経由して得られた出力に負わせる（ｉｍｐｏｓｅｓ）。該検出器レスポンシビテイの影響は該フイルター／検出器対のレスポンシビテイが該検出器レスポンシビテイと該フイルター透過特性との積であることである。
【００２８】
図１６を参照すると、フイールドプログラマブルゲートアレイを有する本発明のもう１つの実施例が示される。特に、該測色計は並列の複数のフイルター／検出器対からのデータを読み出すためにフイールドプログラマブルゲートアレイを有する。本発明がスペクトロフオトメーター（ｓｐｅｃｔｒｏｐｈｏｔｏｍｅｔｅｒ）の様な他のカラー測定デバイスへの応用をも見出す点で評価されるであろう。
【００２９】
該測色計はエフピージーエイ（ＦＰＧＡ）（フイールドプログラマブルゲートアレイ）と、並列の多数の光検出器を読み出す特定の目的のためにプログラムされるマイクロプロセサーと、から成る独特の回路を有する。この応用はフイルター／検出器対の読み出し過程を因数Ｎだけ速めることが証明されたが、ここでＮは読み出されるべき光検出器の数である。該フイルター／検出器対の読みから集められたデータは直接測色情報にトランスレート（ｔｒａｎｌａｔｅ）される。
【００３０】
主要な基板機能はカラー測定である。（図１６で示す）該エフピージーエイデバイス｛例えば、ザイリンクス社（Ｘｉｌｉｎｘ， Ｉｎｃ．）で製造された｝はこの基板上のマイクロプロセサーにより命令される。該マイクロプロセサーとこのデバイスの間の通信は２ビットモードバス、４ビットニブル（Ｎｉｂｂｌｅ）バスそしてストローブを有する。
【００３１】
該エフピージーエイデバイスは該光検出器から８つの光周波数パルス列（Ｌｉｇｈｔ ｔｏ Ｅｒｅｑｕｅｎｃｙ ｐｕｌｓｅ ｔｒａｉｎ）｛エルテーエフ（ＬＴＦ）｝を受信する。勿論、データチャンネルの数に基づきどんな数も使用出来る。該デバイスの主要な機能は指定された時間の期間中に該８チャンネルの各々に起こるパルスの数を数えることである。この時間の期間は該マイクロコントローラーから４ビットバイトの該ニブルバス間でカウンターにロードされる２４ビット値である。このデバイスは又、この時間の期間内に第１パルスが起こりそして最後のパルスが起こる時該チャンネルの各々についてのカウントの値を記録する。該デバイスは、該マイクロコントローラーにより命令されると、該８つのパルス列に関し集められた情報を該ニブルバス上で該マイクロコントローラーへ戻して提供する。
【００３２】
モードバスにより指示される４つのモードの動作がある。該マイクロコントローラーにより駆動される第１モードは書き込み（Ｗｒｉｔｅ）（モード＝０１）である。このモードでは、該マイクロコントローラーは該カウンターに該測定時間の期間をロードする。該値は２４ビットであり、４ビットの最上位ニブル（ｍｏｓｔ ｓｉｇｎｉｆｉｃａｎｔ ｎｉｂｂｌｅ）でスタートしてロードされる。該ニブルバス上の値はストローブの立ち上がりエッジでレジスターされる。最上位ニブルから最下位ニブルまでの全体ワードをロードするために６つのストローブが発せられる。書き込みへのモード変化に続くソフトウエア命令シーケンスはストローブをｌｏｗへ駆動し、該ニブルバスを次のカウンター４ビットロード値へ駆動しそして全部で６つの書き込み用にストローブをｈｉｇｈへ駆動する。
【００３３】
該カウンターがロードされた後、該モードバスは他のモード（モード＝１１）を指示する。このモードでは、該エルテーエフチャンネルの１つ（テービーデー）｛ｏｎｅ ｏｆ ｔｈｅ ＬＴＦ ｃｈａｎｎｅｌｓ（ＴＢＤ）｝は該エフピージーエイによりレジスターされ、該ニブルバスの最下位ビット上へ駆動される。このモード中ニブルバス（１）はｌｏｗに駆動される。該エフピージーエイは該モードが変更されるまでこのモードで該ニブルバスを駆動し続ける。
【００３４】
該マイクロコントローラーがこのエルテーエフ（ＬＴＦ）上の情報を集めてしまった後、それは該モードをアキュムレート（モード＝１０）へ駆動する。このモードでは該エフピージーエイは該８チャンネルの各々上に起こるパルスの数を記憶する。又それは各チャンネル上の第１パルスと各チャンネル上の最後のパルスのカウンター値を記憶する。各チャンネルについて記憶された３つの２４ビットワードがある。このモードでは該エフピージーエイがストローブ線を駆動する。ストローブは、測定時間の期間でロードされた該カウンターがゼロまでカウントダウンするまで、ｈｉｇｈに駆動される。該カウンターは６クロックごとにカウントさせられる。次いで該ストローブは該モードが変更されるまでｌｏｗに駆動される。勿論、そのタイミングは望まれる仕様に基づき変更出来る。他の３つのモードでは、ストローブは入力である。
【００３５】
該マイクロコントローラーが、ｌｏｗへ移動するストローブにより示されて、該アキュムレートモードが完了したことを知ると、それは該モードを読み出しモード（モード＝００）へ駆動する。このモードでは、該デバイスはニブルバスを駆動する。それはアキュムレートモード中それが集めたデータを該マイクロコントローラーへ供給する。読み出される最初のデータはチャンネル０でスタートして７までの最初のパルスのカウント値である。読み出される次のデータはチャンネル０でスタートし７までの最後のパルスのカウント値である。読み出される最後のデータはチャンネル０でスタートしチャンネル７で終わる時間の期間中に起こるパルスの数である。チャンネル当たり３ワードの８チャンネル用に、２４ワードのデータがある。各ワードは最下位ニブルでスタートする６つの４ビットニブルで読み出される。該ストローブがｌｏｗに下げられそして上げられる各回に１つのニブルが読み出される。該デバイスはストローブの立ち上げエッジ時に次のニブルを更新する。読み出しモード中に１４４のニブル読み出しがある（２４ワード×６ニブル）。該エフピージーエイは該モードが変わるまで該ニブルバスを駆動し続ける。読み出しモードへのモード変更に続くソフトウエア命令シーケンスはストローブをｌｏｗに駆動し、ニブルバスを読み出し、１４４読み出し用にストローブをｈｉｇｈに駆動することである。
【００３６】
【表２】
2004527729.tif 000004
【００３７】
更に図１６を参照すると、該エフピージーエイは４つのブロック：制御（ＣＴＬ）、チャンネルロジック（ＣＨＡＮＬＯＧ）、ラムインターフエース（ＲＡＭＩＮＴ）、そしてラム出力（ＲＡＭＯＵＴ）、に分けられる。下記セクションはこれらのブロックの各々を説明する。ＣＴＬは他のロジックブロックへの制御を提供する。ＣＨＡＮＬＯＧは該８つのエルテーエフ（８ ＬＴＦｓ）を取り込み、ラムへの書き込みイネーブル（ｗｒｉｔｅ ｅｎａｂｌｅｓ ｔｏ ＲＡＭ）を発生する。ＲＡＭＩＮＴは該エルテーエフ情報（ＬＴＦ ｉｎｆｏｒｍａｔｉｏｎ）を記憶するため使用されるラムロジック（ＲＡＭ ｌｏｇｉｃ）を有し、ＲＡＭＯＵＴは読み出しモード中ラム出力（ＲＡＭ ｏｕｔｐｕｔ）を制御する。
【００３８】
ＣＬＫ入力はテスト目的でＣＬＫＯＵＴ上に駆動され出される。モード、ニブルそしてスローブ信号上にはプルアップ（ｐｕｌｌｕｐｓ）が供給される。
【００３９】
制御（ＣＴＬ）ブロック
ＣＴＬは該モード入力を受け入れる。これらは該マイクロコントローラーと該エフピージーエイの間のクロック動作から生じる何等かの準安定条件（ｍｅｔａｓｔａｂｌｅ ｃｏｎｄｉｔｉｏｎ）を取り扱うために最初にレジスターされる。該マイクロコントローラーの出力へのクロックに関する、そして該モードが正しくなくレジスターされないことを保証するための仕様はないので、新モードを反映するために内部モードレジスターが更新される前に２クロック期間の間該モードが存在する。新モードがレジスターされると、該デバイス全体を通してロジックを制御するためにリセットモード（Ｒｅｓｅｔｍｏｄｅ）が発せられる。
【００４０】
該ストローブも又ＣＴＬへの入力である。該ストローブは何等かの準安定条件を取り扱うために最初レジスターされ、次いで立ち上げ及び立ち下げエッジインデイケーター（ｒｉｓｉｎｇ ａｎｄ ｆａｌｌｉｎｇ ｅｄｇｅ ｉｎｄｉｃａｔｏｒｓ）を形成するために２回レジスターされる。読み出しモードでの立ち上げエッジ指示は次のニブルへアドレスするラムが進められるようにする。該ラムデータを読み出すと、該ストローブがｌｏｗである間該データ出力は有効（ｖａｌｉｄ）であり、ストローブの立ち上げエッジに続く第３のクロック期間の間次の値が入手可能である。
【００４１】
又ＣＴＬはニブルバスを受信する。書き込みモードのストローブの立ち上げエッジは該ニブルバスが該カウンター並列ロードレジスターの最下位ニブル内に書かれるようにする。このレジスターは４ビットインクレメントでシフトするシフトレジスターである。ストローブの立ち上がりエッジが起こると、各下部ニブルはそのデータを次に最高のニブル内へシフトする。該値は最初に最上位ニブル内に、そして下って最下位ニブルへシフトすることによりロードされる。ＣＴＬはこの測定期間値をラムインターフエースへ供給し、該ラムインターフエースは該値をリセットモードが起こる時は何時も該カウンター内へロードする。該ニブルバスから書き込みモード中にロードされつつある該測定期間は立ち上がりエッジのストローブに続く３クロック期間該バス上に留まると期待されることは注意すべきである。該測定期間を書き込むためのソフトウエアシーケンスは、ストローブをｌｏｗに駆動し、ニブルバスを駆動し、ストローブをｈｉｇｈに駆動することである。
【００４２】
該カウンター内にロードすべき該値を提供すると共に、ＣＴＬはカウントイネーブルを提供するが、それはアキュムレートモード中に、該カウンターが６つのクロックごとにデクレメントすることを可能にする。このイネーブルを発生するロジックはリセットモードでリセットされる。
【００４３】
又ＣＴＬは内部モードレジスターからデコードされたモードインデイケーター（ｍｏｄｅ ｉｎｄｉｃａｔｏｒｓ）を他のブロックに提供する。それは又ストローブ及び該ニブルバスにトライステートイネーブル（ｔｒｉｓｔａｔｅ ｅｎａｂｌｅ）を供給する。ストローブはアキュムレートモード中はこのデバイスから駆動されそしてそうでない場合はトライステートに置かれる。
該ニブルバスは他のモード及び読み出しモード中は駆動され他の２つのモードではトライステートに置かれる。
【００４４】
チャンネルロジック（ＣＨＡＮＬＯＧ）ブロック
ＣＨＡＮＬＯＧは該８つのエルテーエフチャンネル（ＬＴＦ ｃｈａｎｎｅｌｓ）を受け入れる。それは何等かの準安定条件を除去するために最初に該８チャンネルをレジスターする。次いで該チャンネルは立ち上がりエッジ検出を形成するために２回レジスターされる。このエッジ検出は８ビットインクレメントレジスター（ＩＣＨ）内にレジスターされる。このレジスターは該モードのスタートを指示するリセットモードでクリアされる。ビット０の１はチャンネル０内にパルスが起こったことを示す。ビット１の１はチャンネル１内にパルスが起こったことを示す。チャンネル７内でパルスが起こったことを示すＩＣＨのビット７まで上へ、その様に続く。
【００４５】
該パルスは２マイクロ秒ごとの１パルスより速くなく発せられる。該エフピージーエイは６ＭＨｚクロック上で動作する。該ＩＣＨレジスター内の１つの１はＲＡＭへの１つの書き込みを可能にする（ラムインタフエースブロック参照）。該ＲＡＭへの書き込みイネーブルを発生するために８つのクロック期間（サイクル）の１つ中に各チャンネルがイネーブルにされる。ＩＣＨ（０）はサイクル０中イネーブルにされ、サイクル１中にＩＣＨ（１）、そしてサイクル７中書き込むことをイネーブルにされるＩＣＨ（７）まで上へ続く。各チャンネルは１．３３マイクロ秒ごとに１回エッジ検出を示す機会を有するが、該１．３３マイクロ秒（６ＭＨｚの周期０．１６７マイクロ秒の８倍）は２マイクロ秒の要求内にある。サイクルはリセットモード（ＲＡＭＯＵＴ参照）によりリセットされるカウンター（ＳＭＣＮＴ）の３つの最下位ビットから発生される８ビットデコードである。
【００４６】
又サイクルインデイケーター（ｃｙｃｌｅ ｉｄｉｃａｔｏｒ）は適当なＩＣＨレジスタービットが該ＲＡＭへの書き込みイネーブルとしてのその使用に続くクロック期間内でリセットされるようにする。これは次のパルスが検出されることを可能にする。又該サイクルインデイケーターは該パルスを取り込む該２つのレジスターがレジスターすることを防止するので、そのサイクルに付随する該ＩＣＨレジスタービットがクリヤされる間エッジが失われることはない。
【００４７】
又ＣＨＡＮＬＯＧは最上位アドレスビットをラムインターフエースブロック（ＲＡＭＩＮＴ）のＲＡＭ２へ出力する。アキュムレートモードでは、このビットは各チャンネル用に１つ、８ビットレジスター｛エフシーエイチ（ＦＣＨ）｝から形成され、１つのビットが、サイクル（Ｃｙｃｌｅ）に基づきＲＡＭＩＮＴへの出力用に選択される。第１パルスがそのチャンネル用に起こって、書き込みイネーブルがＲＡＭＩＮＴへ発行された時ＦＣＨ内の特定ビットが設定される。ＲＡＭ２の下部アドレスに該第１パルスの時刻を記憶させるリセットモードでＦＣＨはリセットされる。上部アドレスは最後のパルスの時刻を記憶するであろう（ＲＡＭＩＮＴ参照）。読み出しモード中、該最上位アドレスビットはＳＭＣＮＴのビット３である（ＲＡＭＯＵＴ参照）。
【００４８】
又ＣＨＡＮＬＯＧは該準安定条件を除去するために１度と、エルテーエフ（テービーデー）を２回レジスターする。該第２レジスターの出力は他のモード中ニブルバス（０）上へ駆動される。ニブルバス（１）は他のモード中はｌｏｗに駆動される。
【００４９】
ラムインターフエース（ＲＡＭＩＮＴ）ブロック
ＲＡＭＩＮＴは２つの２４ビット幅のＲＡＭＳ（ＲＡＭ１とＲＡＭ２）を有する。ＲＡＭ１への入力はその出力プラス１である。アキュムレートモード中、このＲＡＭはエルテーエフ０へ写像（ｍａｐｐｉｎｇ）するアドレス０からエルテーエフ７へ写像するアドレス７までのアドレスを有する各チャンネル上のパルス数を追跡する。該ＲＡＭへのアドレス作用はＳＭＣＮＴの最下位３ビットにより提供される（ＲＡＭＯＵＴ参照）。そのサイクルのチャンネル用にパルスが検出された時アクチブな、このＲＡＭへのライトイネーブルはＣＨＡＮＬＯＧにより提供される。このＲＡＭは電力立ち上げ（ｐｏｗｅｒ ｕｐ）時クリアされるがアキュムレートモードとアキュムレートモードとの間はリセットされないので従って、その時間の期間用の実際のカウントを決定するためにソフトウエアが該チャンネルの各々用のパルスカウントの最終値を追跡せねばならない。
【００５０】
ＲＡＭ２へのデータ入力は２４ビットカウンターで、それがロードされるのはＣＴＬにより提供される測定時間期間でリセットモードが起こる時である。アキュムレートモードでは、このカウンターは６クロックごとにデクレメントするようＣＴＬによりイネーブルにされる。該カウンターの値はＲＡＭ２に書き込まれ、同時に、それがＣＨＡＮＬＯＧによりイネーブルにされる時、ＲＡＭ１が書き込まれる。該第１パルスが検出された時下部の８つのアドレスは該カウンターの値を記憶する。上部の８つのアドレスは最後のパルスが検出された時該カウンターの値を記憶する。該アドレスの最下位３ビットはＳＭＣＮＴ（２：０）であるがそれはＣＨＡＮＬＯＧにより提供され、モードの関数である最上位ビットを有している。
【００５１】
ストローブは、該カウンターがゼロまでカウントダウンしＳＭＣＮＴ（２：０）が７と等しくなるまでアキュムレートモード中ｈｉｇｈに駆動される。その時該両ＲＡＭへの書き込みはデイスエーブルにされる。該カウンターがゼロまでカウントダウンするのに続きＳＭＣＮＴ（２：０）が７に等しくなるのを待つことは書き込みをデイスエーブルにする前に、情報が全８チャンネル上で集められることを可能にする。次いでＲＡＭＩＮＴは、アキュムレートモードで、ストローブをｌｏｗにさせ、該モードが完了したことを示す。
【００５２】
ＲＡＭＩＮＴは読み出しモード中の出力用にＲＡＭ１及びＲＡＭ２の出力をＲＡＭＯＵＴに提供する。
【００５３】
ＲＡＭ出力（ＲＡＭＯＵＴ）ブロック
ＲＡＭＯＵＴは読み出しモード中該ＲＡＭデータを出力するための制御を提供する。ＣＴＬが該ニブルバスにトライステートイネーブルを供給している（読み出し及び他のモードで駆動している）間、ＲＡＭＯＵＴは１２の４ビットニブルのどれが該ニブルバスへ出力すべきかを制御する。それは又新モードのスタートでのリセットである該ＳＭＣＮＴを発生する（リセットモード）。ＳＭＣＮＴは該両ＲＡＭへのアドレス作用を提供し、サイクルインデイケーターを発生するため使用される（ＣＨＡＮＬＯＧ参照）。
【００５４】
ＲＡＭＯＵＴは３ビットカウンター（ＣＮＹＬＯＷ）を発生するが、該カウンターは０から５までカウントし、読み出しモード中該ニブルバス上の出力であるワード当たり６ニブルの１つを選択すため使用される。このカウンターは読み出しモードでストローブの立ち上がりエッジでインクレメントされる。
【００５５】
ＳＭＣＮＴは５ビットカウンターであり、それはアキュムレートモードではクロックごとにカウントする。各クロックで異なるチャンネルが該両ＲＡＭ内でアドレスされる。読み出しモードで該カウターは、ＣＮＴＬＯＷ＝５で、かつ、ストローブの立ち上がりエッジが起こる場合のみインクレメントする。この条件は該ＲＡＭのアドレスを次のワードへ進める。ワードの全６ニブルが読み出された後でのみこのカウンターは該次のワードをアドレスするように進む。読み出しモード中、ＳＭＣＮＴ（４）がセットされた時ＲＡＭ１はアクセスされそして０の時ＲＡＭ２がアクセスされる。従って、ＲＡＭ２の全１６ワードが読み出され（ＳＭＣＮＴ＝０から１５）、ＲＡＭ１の該８ワードにより追随される（ＳＭＣＮＴ＝１６から２３）。１４４の４ビットニブルの全部が出力される。該ニブルバス上の該データはストローブの該立ち上がりエッジに続く約３クロックで変わる。ＲＡＭを読み出すソフトウエアシーケンスはストローブをｌｏｗに駆動し、読み出し、ストローブをｈｉｇｈに駆動する。
【００５６】
該設計はスパルタンＸＬのＸＣＳ０５ＸＬデバイス（ＳｐａｒｔａｎＸＬ ＸＣＳ０５ＸＬ ｄｅｖｉｃｅ）をターゲットにされた。３６の４入力エルユーテーエス（４−ｉｎｐｕｔ ＬＵＴｓ）、６８の３入力エルユーテーエス（３−ｉｎｐｕｔ ＬＵＴｓ）、１８のシーエルビーフロップス（ＣＬＢ ｆｌｏｐｓ）そして４０のアイオービーフロップス（ＩＯＢ ｆｌｏｐｓ）が利用可能である。
【００５７】
本発明のもう１つの実施例に依れば、光学的組立体用の取付及び結合機構はフアスナー（ｆａｓｔｅｎｅｒｓ）又は接着剤の必要無しに提供される。
【００５８】
該測色計は光をフイルター／光検出器対へ管理する光学的組立体を含む。そのプラスチックハウジングは、ａ）プリント回路基板｛ピーシービー（ＰＣＢ）｝と組立体とに対し該光学的組立体を自動的に整合し；ｂ）”ａ”の品物に２次元的関係で該光学的組立体を確実に保持し；そしてｃ）該ピーシービー組立体と該検出器に１次元的（距離）関係で該光学的組立体を確実に保持する様な仕方で設計されている。断面図解参照。
【００５９】
この取付を用いて、計測器用に設計されたプラスチック射出ハウジング（ｐｌａｓｔｉｃ ｉｎｊｅｃｔｉｏｎ ｈｏｕｓｉｎｇ）を使用した光学的組立体の精確で確実な位置付けが達成されている。これはフアスナー又は接着剤のニーヅを取り除き、そして組立時間を低減する。
【００６０】
図１７を参照すると、該測色計用ハウジングはフアスナー又は接着剤のニーヅを取り除く様な仕方で設計されている。特に、該プラスチック射出ハウジングは係合時相互にインターロックする複数のピンを含む。該ピンの係合は該デバイスハウジングの半分２つを自動的に係合し該組立体をロックする。
【００６１】
該測色計は光拡散体（ｌｉｇｈｔ ｄｉｆｆｕｓｅｒ）を含みそれは該拡散体の外径と締まりばめとなる開口部内に圧入される。この締まりばめは該拡散体を精確に位置付けそしてそれを確実にその位置に保持する。
【００６２】
上記説明から、測色での改良された技術と特に改良されたデジタル測色計が提供されることは明らかであろう。当業者には、ここに説明された測色計とその操作方法の変更と変型が示唆されるであろうことに疑いはない。従って、前記説明は図解的なものであり、限定する意味でないと取られるべきである。
【図面の簡単な説明】
【図１】
本発明の現在の好ましい実施例に依る測色計の主要部品を斜視的に示す組立分解図である。
【図１Ａ】
図１で示すプリント回路基板部品の平面図である。
【図２】
図１で示す該測色計の底面図である。
【図３】
図１及び２で示す測色計の断面図であり、該断面は図４の線３−３に沿って取られている。
【図４】
図１に示す測色計の断面図であり、該断面は図２の線４−４に沿って取られている。
【図５】
前記図で示す該測色計の断面図であり、該断面は図２の線５−５に沿って取られている。
【図６及び７】
該測色計の壁内の、光が通過するアパーチャが如何にフイルター／光検出器対の視野をマスクし、制限するかを図解する光線（ｒａｙ ｄｉａｇｒａｍｓ）線図である。
【図８】
前記図で示す測色計で使用されるフイルターユニットの斜視的組立分解図である。
【図９】
その層の重ね合わせ関係を図解する該フイルターユニットの断面図である。
【図１０】
該測色計の回路と、該測色計からの出力を利用してモニターを校正するシステムと、を略図的に示すブロック図である。
【図１１】
リフレッシュレートプローブを得るための図１０で示すマイクロプロセサーのプログラミングを図解するフローチャートである。
【図１２】
測色計の応答を合成し、シーアイイー等色関数を模擬する応答を提供するための該マイクロプロセサーのプログラミングを図解するフローチャートである。
【図１３、１４そして１５】
スペクトラムに亘るフイルター透過率、スペクトラムに亘る検出器フイルター対レスポンシビテイそしてレスポンシビテイを該等色関数向けに模擬する精度を図解する曲線である。
【図１６】
測色計からのデータを並列に読み出すためのフイールドプログラマブルゲートアレイを有する制御器の線図である。
【図１７】
本発明のもう１つの実施例の測色計ハウジングの断面図である。
【図１】
2004527729.tif 000005
【図１Ａ】
2004527729.tif 000006
【図２】
2004527729.tif 000007
【図３】
2004527729.tif 000008
【図４】
2004527729.tif 000009
【図５】
2004527729.tif 000010
【図６】
2004527729.tif 000011
【図７】
2004527729.tif 000012
【図８】
2004527729.tif 000013
【図９】
2004527729.tif 000014
【図１０】
2004527729.tif 000015
【図１１】
2004527729.tif 000016
【図１２】
2004527729.tif 000017
【図１３】
2004527729.tif 000018
【図１４】
2004527729.tif 000019
【図１５】
2004527729.tif 000020
【図１６】
2004527729.tif 000021
【図１７】
2004527729.tif 000022
【国際公開パンフレット】
2004527729.tif 000023
2004527729.tif 000024
2004527729.tif 000025
2004527729.tif 000026
2004527729.tif 000027
2004527729.tif 000028
2004527729.tif 000029
2004527729.tif 000030
2004527729.tif 000031
2004527729.tif 000032
2004527729.tif 000033
2004527729.tif 000034
2004527729.tif 000035
2004527729.tif 000036
2004527729.tif 000037
2004527729.tif 000038
2004527729.tif 000039
2004527729.tif 000040
2004527729.tif 000041
2004527729.tif 000042
2004527729.tif 000043
2004527729.tif 000044
2004527729.tif 000045
2004527729.tif 000046
2004527729.tif 000047
2004527729.tif 000048
2004527729.tif 000049
2004527729.tif 000050
2004527729.tif 000051
2004527729.tif 000052
2004527729.tif 000053
2004527729.tif 000054
2004527729.tif 000055
2004527729.tif 000056
2004527729.tif 000057
2004527729.tif 000058
2004527729.tif 000059
2004527729.tif 000060
【国際調査報告】
2004527729.tif 000061